(57)【要約】      （修正有）【課題】熱膨張剤を含む耐火材を袋状に収納してシート部材とし、管外周に装着して管路構築をしたり、シート部材を内管の所定位置に組み込んだ耐火二層管継手の防火対策手段に対して、作業性の簡素化を実現する熱膨張性部材を提供する。【解決手段】熱膨張性剤を含む樹脂体からなり、装着対象である床スラブ貫通孔に使用する管路の外周形状に対応した筒形状を、筒軸方向に沿って複数に分割した形状に形成した複数の分割体３ａ，３ｂで構成される。或いは熱膨張性剤を含むと共に適宜弾性を備えた樹脂体からなり、装着対象の管外周形状に対応した筒形状に対応すると共に、筒軸方向に分離切込４２を設けて形成した単一体で構成される。【選択図】図１
0003209218.tif 000002
【実用新案登録請求の範囲】
【請求項１】
熱膨張性剤を含む樹脂体で、装着対象である床スラブ貫通孔に使用する管路の外周形状に対応した筒形状を、筒軸方向で複数に分割した形状の複数の分割体で構成した熱膨張性部材。
【請求項２】
分割体が、筒軸方向に対して傾斜して分割した形状として請求項１記載の熱膨張性部材。
【請求項３】
分割体が、筒軸方向に対して二分割とした形状とした請求項１又は２記載の熱膨張性部材。
【請求項４】
熱膨張性剤を含むと共に適宜弾性を備えた樹脂体で、装着対象の装着対象である床スラブ貫通孔に使用する管路の外周形状に対応した筒形状で、筒軸方向で分離切込を設けて形成した単一体で構成した熱膨張性部材。
【請求項５】
単一体が筒軸方向に対して傾斜して分離切込を設けた請求項４記載の熱膨張性部材。
【請求項６】
請求項１乃至５記載の何れかの熱膨張性部材を、床スラブ貫通孔に使用する耐火二層管継手の内管における所定位置に装着すると共に、モルタル外管被覆を施してなる耐火二層管継手。
【考案の詳細な説明】
【技術分野】
【０００１】
本考案は、床面等を貫通する箇所に使用される熱膨張性部材及び前記部材を組み込んで形成して当該箇所に使用される耐火二層管継手に関するものである。
【背景技術】
【０００２】
多階層住宅において床スラブを貫通して配設される管路において、当該管路のための貫通孔が火災時の被害拡大の原因（他層階への火災波及）とならないように、適宜な防火対策が講じられている。
【０００３】
例えば床スラブに開口した管路用孔に金属管で構成される管路外周を貫通設置する際に、管路用孔の残余部分をモルタルで塞ぐと共に、管周面に熱膨張性剤を含む発泡樹脂製シートを装着し、火災時の前記シートの体積減少を熱膨張性材で補う手法が知られている（特許文献１）
【０００４】
また塩ビ内管とモルタル外管で構成される耐火二層管継手を採用する場合には、粉末熱膨張性剤を所定の帯状袋に収納して塩ビ内管の外周に装着してモルタル被覆を施した二層管を採用し、火災時に塩ビ管の溶融と共に管路内自体を前記粉末熱膨張剤の熱膨張で閉塞する手段が知られている（特許文献２）。
【先行技術文献】
【特許文献】
【０００５】
【特許文献１】特開平９−２６２３０５号公報。
【特許文献２】特開２０１０−１３９０５７号公報。
【考案の概要】
【考案が解決しようとする課題】
【０００６】
熱膨張剤を含むシート部材に一旦形成し、このシート部材を配管の所定箇所に巻装し、床スラブに開口した管路用孔に当該配管を設置する手法（特許文献１）、及び前記のシート部材を内管の所定箇所に巻装して外管を形成した継手を床スラブに開口した管路用孔に設置する手法（特許文献２）においては、共にシート部材の形成及びその巻装という煩瑣な作業を伴うものである。
【０００７】
そこで本考案は管装着作業を容易に実施できる新規な熱膨張性部材及び前記部材を組み込んだ耐火二層管継手を提案したものである。
【課題を解決するための手段】
【０００８】
本考案の請求項１記載に係る熱膨張性部材は、熱膨張性剤を含む樹脂体で、装着対象である床スラブ貫通孔に使用する管路の外周形状に対応した筒形状を、筒軸方向で複数に分割した形状に形成した複数の分割体で構成してなるものであり、請求項４記載の熱膨張性部材は、熱膨張性剤を含むと共に適宜弾性を備えた樹脂体で、前記の装着対象の管外周形状に対応した筒形状で、筒軸方向で分離切込を設け形成した単一体で構成してなるものである。
【０００９】
また本考案（請求項６）に係る耐火二層管継手は、前記の熱膨張性部材を、床スラブ貫通孔に使用する耐火二層管継手の内管における所定位置に装着すると共に、モルタル外管被覆を施してなるものである。
【００１０】
而して前記の熱膨張性部材は、床スラブの開口個所（管路用孔）に設置する管に対して、複数の分割体を全周に渡って装着（貼着或いは接着または自己の弾性による挟圧装着）し、或いは単一体を分離切込から拡径して所定位置に配すると共に、弾性反発力で管外周に密着させて装着するものであり、当該熱膨張性部材を装着した管は床スラブに設けた管路用孔に貫通設置し、常法とおり周囲部分を耐火材で塞いで管路を構成するもので、火災に際して、当該熱膨張性部材が体積膨張をなし、非金属管の場合には管路自体を塞いで延焼を防止し、金属管の場合には、管外周部分の閉塞を確実なものとして延焼を防止する。
【００１１】
また耐火二層管継手の場合には、前記した熱膨張性部材（分割体又は単一体）を塩ビ内管の所定位置に装着し、モルタル被覆を施して二層管とするものであり、前記継手を、床スラブの開口個所（管路用孔）に設置すると、従前の耐火二層管継手と同様に、火災による熱の影響を受けた時に、外管で被覆された内部の内管が溶融するので、前記内管を押しながら膨張して外管内の管路を閉塞して延焼を防止する。
【考案の効果】
【００１２】
本考案の構成は、上記のとおり床スラブ貫通孔に設置される管路に対して使用する熱膨張性部材及び耐火二層管継手であり、熱膨張性部材が分割体又は単一体で構成されることになり、シート部材として管路等に巻装せずに単に接着などの手段で装着できるもので、その作業性に優れているものである。
【図面の簡単な説明】
【００１３】
【図１】本考案の実施形態の熱膨張部材の全体図で（イ）が単一体（ロ）が分割体を示す。
【図２】同耐火二層管継手の内管への熱膨張性部材の装着説明図。
【図３】同耐火二層管継手の要部を切断した説明図。
【図４】同別例の耐火二層管継手の内管への熱膨張性部材の装着説明図。
【考案を実施するための形態】
【００１４】
次に本考案の実施形態の耐火二層管継手について説明する。床スラブの貫通孔に使用される耐火二層管継手は、内管１と外管２（モルタル被覆）とで構成され、貫通箇所の上下に開口した大径受け口となる上方連結部１１，２１及び下方連結部１２，２２を備え、且つ上方箇所に横分岐管１３，２３を設けて構成されるものである。
【００１５】
分割体である熱膨張性部材３ａ，３ｂは、例えば加硫ゴム単独或いは特定量の熱可塑性エラストマーを含有する加硫可能なゴムベースに、熱膨張性黒鉛、無機等を混合して形成した公知のもので、火災時に熱膨張すると共に、加熱後残渣が形状保持性を備えた材質で形成されたものである。
【００１６】
この熱膨張性部材３ａ，３ｂは、組み合わせた状態が、装着対象である内管１における装着個所である下方連結部１２の大径受け口から径小となる段差１４を含む範囲の外周形状と合致する内面形状３１を備えた筒状で、且つ筒軸方向に縦傾斜させて二分割した形状である。
【００１７】
即ち熱膨張性部材（分割体）３ａ，３ｂは、半円筒状で傾斜側縁３２を備えると共に、内管対応の段差３３を備えているものである。
【００１８】
前記の熱膨張性部材（分割体）３ａ，３ｂは、塩ビ内管１における段差部分１４を含む所定位置に、適宜接着剤を使用したりして固着する。熱膨張性部材３ａ，３ｂを装着すると常法通りモルタル被覆を施して外管２を形成してなるものである。
【００１９】
而して前記の耐火二層管継手は、常法とおり建築物の階層を仕切る床スラブに穿設した（管路用孔）に設置し、上方階の排水管を横分岐管１３，２３に接続し、下層階突出部分に縦排水管を接続するもので、特に火災が生じて塩ビ内管１に火が回った場合には、当該熱膨張性部材（分割体）３ａ，３ｂが体積膨張をなし、非金属管の場合には管路自体を塞いで延焼を防止するものである。特に分割体３ａ，３ｂが傾斜側縁３２を採用したことによって、前記の熱膨張に際しての速やかに分割側縁箇所が塞がれるようにする。
【００２０】
尚本考案の熱膨張性部材は前記の分割体に限定されるものではなく３乃至４個の分割体で形成しても良い。更には図１（イ）に示すように、単一体の熱膨張性部材４を採用しても良い。この単一体４を採用する場合には、特に熱膨張性剤を含むと共に適宜弾性を備えた樹脂体で、且つ前記した段差部分１４を含む外周形状と対応させた所定の内面形状４１を備えると共に、筒軸方向で傾斜した分離切込４２を設けて形成する。そして前記切込４２から単一体４を拡径して内管１の所定箇所に配置し、単一体４の復帰弾性で内管１を保持するように装着し、モルタル外管２を被覆形成するものである。
【００２１】
更に図４に示すように内管１の下方部分に熱膨張性部材３ａ，３ｂを装着せずに、分岐管１３の下方の本管周囲に装着するようにしても良く、その場合は当該装着個所に対応する形状の熱膨張性部材５ａ，５ｂ（或いは単一体の熱膨張性部材で良い）を形成しておき、これを装着するものである。
【００２２】
また前記した熱膨張性部材（分割体又は単一体）は、耐火二層管継手に内装せずに、特許文献１に示されたように、そのまま通常配管の外周に装着して使用することもできる。
【符号の説明】
【００２３】
１      内管
２      外管
１１，２１    上方連結部
１２，２２    下方連結部
１３，２３    横分岐管
１４    段差
３ａ，３ｂ，５ａ，５ｂ    熱膨張性部材（分割体）
３１    内面形状
３２    傾斜側縁
３３    段差
４      熱膨張性部材（単一体）
４１    内面形状
４２    分離切込
【図１】
0003209218.tif 000003
【図２】
0003209218.tif 000004
【図３】
0003209218.tif 000005
【図４】
0003209218.tif 000006